(57)【要約】【課題】各映像監視記録装置の何れかの記録装置に支障が発生しても保管期間内で保管すべき記録データを確実に保存でき、且つ上書き記録による記録データ消去を適確に防止できる映像監視記録システムを提供する。【解決手段】このシステムでは、各映像監視記録装置１〜４にネットワーク６を介して接続された監視端末装置７の代替記録指令部７Ａが各装置１〜４の記録装置が備える記録媒体のＨＤＤ１０９〜４０９の記憶容量不足を検出した場合に他の予め定められた各装置１〜４の記録媒体を対象として画像情報を含む記録データを代替記録する選択指令を行い、各装置１〜４に備えられる制御装置１０６〜４０６の代替記録監視部１０６Ａ〜４０６Ａが指令部７Ａで指令された記録媒体に対して代替記録するときの残容量を監視して代替記録の可否を判定した結果、可であるときには記録データの代替記録を行い、否であれば装置７へその旨を示す信号を出力する。【選択図】図１
2014045270.tif 000002
【特許請求の範囲】
【請求項１】
所定の監視区域を撮像する撮像装置、並びに当該撮像装置で撮像された撮像情報を映像化処理した画像情報を含む記録データを記録する記録装置を備えた映像監視記録装置の複数台がネットワークを介してそれぞれ接続されて構成されると共に、当該複数台の映像監視記録装置が１つの映像監視記録装置における当該記録装置に備えられる記録媒体の記録容量に余裕がなくなると、当該ネットワークを介して他の映像監視記録装置における当該記録装置に備えられる記録媒体へ当該記録データを記録する機能を持つ映像監視記録システムであって、
前記複数台の映像監視記録装置に前記ネットワークを介して接続されると共に、当該複数台の映像監視記録装置における前記記録装置に備えられる前記記録媒体の状態として記録容量を監視した結果、記録容量不足を検出した場合に当該記録容量不足が検出された記録媒体以外の予め定められた映像監視記録装置の当該記録装置に備えられる当該記録媒体を対象として前記記録データを当該ネットワークを介して代替記録するための選択指令を行う代替記録指令部を含む監視端末装置を備え、
前記複数台の映像監視記録装置は、前記監視端末装置における前記代替記録指令部により前記代替記録を指令された前記記録媒体に対して当該代替記録するときの前記記録限界を示す残容量を監視して当該代替記録の可否を判定する残容量監視機能を備えると共に、当該残容量監視機能による当該判定の結果が可であるときには当該記録データの当該代替記録を行い、否であるときには当該監視端末装置へ代替記録不可を示す信号を出力する代替記録監視部を含む制御装置を備えたことを特徴とする映像監視記録システム。
【請求項２】
請求項１記載の映像監視記録システムにおいて、前記監視端末装置における前記代替記録指令部は、前記記録媒体の全記録容量と前記画像情報を予め定められた保管期間に要する保管記録容量との差である余裕記憶容量の大きい順に前記代替記録するための前記選択指令を行うことを特徴とする映像監視記録システム。
【請求項３】
請求項１記載の映像監視記録システムにおいて、前記制御装置における前記代替記録監視部は、前記残容量監視機能により前記記録媒体の全記録容量と前記画像情報を予め定められた保管期間に要する保管記録容量との差である余裕記憶容量に対する記録時間に基づいて前記代替記録の可否を判定することを特徴とする映像監視記録システム。
【請求項４】
請求項１〜３の何れか１項記載の映像監視記録システムにおいて、前記監視端末装置は、前記複数台の映像監視記録装置における前記記録装置に備えられる前記記録媒体の状態を監視した結果、異常検出された場合に通信回線を介して遠隔地に設置された監視センタへ異常通報することを特徴とする映像監視記録システム。
【発明の詳細な説明】
【技術分野】
【０００１】
本発明は、所定の監視区域を撮像する監視用の撮像装置（カメラ）、並びに撮像装置で撮像された撮像情報を画像化処理した画像情報を含む記録データを記録する記録装置を備えた映像監視記録装置がネットワークを介して複数台接続されて構成される映像監視記録システムに関する。
【背景技術】
【０００２】
従来、この種の映像監視記録システムに係る周知技術として、画像をキャプチャーし記録する装置において、当初見積もった画像ファイルサイズより大きなファイルが生成された場合、画像記録領域が不足し必要とする時間までの記録ができなくなる課題を解決した「画像記録システム及びその制御方法及びプログラム及び記憶媒体」（特許文献１参照）が挙げられる。
【先行技術文献】
【特許文献】
【０００３】
【特許文献１】特開２００６−１１４９８５号公報
【発明の概要】
【発明が解決しようとする課題】
【０００４】
上述した特許文献１に係る画像記録システムは、複数台のカメラに画像記録装置を接続して構成される映像監視記録装置をネットワークを介して複数台接続した構成であり、或る画像記録装置で画像記録領域の不足が発生した場合、他の画像記録装置と空き容量や使用可能可否についての情報を交換し、記録可能と判断された場合にその画像記録装置が代替して画像の記録を行う機能を持たせたものである。
【０００５】
しかしながら、特許文献１の技術によれば、通常画像記録装置は記録データの保管期間が予め設定され、その保管期間を守れば上書き記録が許されるため、データ記録領域では保管期間に必要な容量を計算して記録データ保存期間領域が設定される上、或る程度容量に余裕が持たされるものである点を考慮すれば、実際にはデータ記録領域に不足が発生することは非常で稀であることにより、データ記録領域に余裕のある画像記録装置が代替して画像情報を含む記録データの記録を行うという特徴的な機能が現実的に余り実用的でないという問題がある他、画像記録装置に発生する支障（故障や記録容量不足）については何等対応できるものでないという問題や、画像記録装置のデータ記録領域の容量に余裕を持たせる管理をしていなければ保管期限内の記録データ保存期間領域への上書き記録が行われて保管期限内の記録データを消去してしまう虞れがあるという問題がある。
【０００６】
本発明は、このような問題点を解決すべくなされたもので、その技術的課題は、各映像監視記録装置の何れかの記録装置に支障が発生しても保管期間内で保管すべき記録データを確実に保存できると共に、上書き記録による記録データ消去を適確に防止できる実用的な記録機能を持つ映像監視記録システムを提供することにある。
【課題を解決するための手段】
【０００７】
上記技術的課題を解決するため、本発明は、所定の監視区域を撮像する撮像装置、並びに当該撮像装置で撮像された撮像情報を映像化処理した画像情報を含む記録データを記録する記録装置を備えた映像監視記録装置の複数台がネットワークを介してそれぞれ接続されて構成されると共に、当該複数台の映像監視記録装置が１つの映像監視記録装置における当該記録装置に備えられる記録媒体の記録容量に余裕がなくなると、当該ネットワークを介して他の映像監視記録装置における当該記録装置に備えられる記録媒体へ当該記録データを記録する機能を持つ映像監視記録システムであって、複数台の映像監視記録装置にネットワークを介して接続されると共に、当該複数台の映像監視記録装置における記録装置に備えられる記録媒体の状態として記録容量を監視した結果、記録容量不足を検出した場合に当該記録容量不足が検出された記録媒体以外の予め定められた映像監視記録装置の当該記録装置に備えられる当該記録媒体を対象として記録データを当該ネットワークを介して代替記録するための選択指令を行う代替記録指令部を含む監視端末装置を備え、複数台の映像監視記録装置は、監視端末装置における代替記録指令部により代替記録を指令された記録媒体に対して当該代替記録するときの記録限界を示す残容量を監視して当該代替記録の可否を判定する残容量監視機能を備えると共に、当該残容量監視機能による当該判定の結果が可であるときには当該記録データの当該代替記録を行い、否であるときには当該監視端末装置へ代替記録不可を示す信号を出力する代替記録監視部を含む制御装置を備えたことを特徴とする。
【発明の効果】
【０００８】
本発明の映像監視記録システムによれば、各映像監視記録装置にネットワークを介して接続された監視端末装置の代替記録指令部が各映像監視記録装置の記録装置に備えられる記録媒体の記録容量を監視して記録容量不足を検出した場合にその記録媒体以外の予め定められた映像監視記録装置の記録装置に備えられる記録媒体を対象として画像情報を含む記録データを代替記録するための選択指令を行い、各映像監視記録装置に備えられる制御装置の代替記録監視部が残容量監視機能により代替記録指令部で代替記録を指令された記録媒体への代替記録による記録限界を示す残容量を監視して代替記録の可否を判定し、判定結果が可であるときには記録データの代替記録を行い、否であるときには監視端末装置へ代替記録不可を示す信号を出力するため、各映像監視記録装置の何れかの記録装置に支障（故障や記録容量不足）が発生しても保管期間内で保管すべき記録データを確実に保存できると共に、上書き記録による記録データ消去を適確に防止できる実用的な記録機能を持たせることができるようになる。
【図面の簡単な説明】
【０００９】
【図１】本発明の実施例１に係る映像監視記録システムの基本構成を一部拡大して細部構成を含めて示した概略ブロック図である。
【図２】図１に示される映像監視記録システムに含まれる映像監視記録装置の記録装置に備えられる記憶媒体に対する記録データの記録を説明するために示した記憶媒体に係るデータ記憶領域の模式図である。
【図３】図１に示される映像監視記録システムに含まれる映像監視記録装置の記録装置に備えられる制御装置の動作処理を自身の記録媒体の支障時における他の映像監視記録装置の記録装置に備えられる制御装置の動作処理への引渡しを含めて示したフローチャートである。
【図４】図１に示される映像監視記録システムにおける図３で説明した動作処理に伴う信号伝送のシーケンス（手順）を示した図である。
【図５】図１に示される映像監視記録システムに含まれる監視端末装置における代替記録指令部の動作処理を示したフローチャートである。
【発明を実施するための形態】
【００１０】
以下に、本発明の映像監視記録システムについて、実施例を挙げ、図面を参照して詳細に説明する。
【実施例１】
【００１１】
図１は、本発明の実施例１に係る映像監視記録システムの基本構成を一部拡大して細部構成を含めて示した概略ブロック図である。但し、図１中では各映像監視記録装置１〜４の細部構成について、映像監視記録装置１、２のみを拡大表示しているが、基本的には同様に構成されるものであるため、略図した映像監視記録装置３、４についても参照符号を付した想定で説明する。
【００１２】
この映像監視記録システムは、例えば略図する建物のエントランス、駐車場、エレベータホール（乗場）、エレベータの乗りかご内等の所定の監視区域を被写体としてその監視区域内の人物の行動等を撮像する撮像装置（カメラ）、並びに撮像装置で撮像された撮像情報を映像化処理した画像情報を含む記録データを記録する記録装置を備えた複数台（ここでは４台）の映像監視記録装置１〜４がネットワーク６を介してそれぞれ接続される他、各映像監視記録装置１〜４にネットワーク６を介して接続されると共に、各映像監視記録装置１〜４における記録装置に備えられる記録媒体の状態を監視した結果、異常検出された場合に通信回線８を介して遠隔地に設置された監視センタ５へ異常通報する監視端末装置７を備えて構成される。
【００１３】
このうち、監視端末装置７は、汎用的なパーソナルコンピュータ（ＰＣ）を適用できるもので、少なくとも各映像監視記録装置１〜４に発生した異常状況を監視センタ５へ通報する他、各映像監視記録装置１〜４についての初期設定を含む各種の設定情報を格納している。また、監視端末装置７は、記録媒体の状態として記録容量を監視した結果、記録容量不足を検出した場合に記録容量不足が検出された記録媒体以外の予め定められた各映像監視記録装置１〜４の記録装置に備えられる記録媒体を対象として記録データをネットワーク６を介して代替記録するための選択指令を行う代替記録指令部７Ａと、代替記録に必要な各種情報や所望の画像情報を表示するための表示部７Ｂと、を備えている。代替記録指令部７Ａは、記録媒体の全記録容量と画像情報を予め定められた保管期間に要する保管記録容量との差である余裕記憶容量の大きい順に代替記録するための選択指令を行う。
【００１４】
また、各映像監視記録装置１〜４は、基本機能として、或る１つの映像監視記録装置における記録装置に備えられる記録媒体の記録容量に余裕がなくなると、ネットワーク６を介して他の映像監視記録装置における記録装置に備えられる記録媒体へ記録データを記録する機能を持つもので、具体的には各映像監視記録装置１〜４に備えられる制御装置１０６〜４０６が監視端末装置７における代替記録指令部７Ａにより代替記録を指令された記録媒体に対して代替記録するときの記録限界を示す残容量を監視して代替記録の可否を判定する残容量監視機能を備えると共に、残容量監視機能による判定の結果が可であるときには記録データの代替記録を行い、否であるときには監視端末装置７へ代替記録不可を示す信号を出力する代替記録監視部１０６Ａ〜４０６Ａを有する。制御装置１０６〜４０６における代替記録監視部１０６Ａ〜４０６Ａは、残容量監視機能により記録媒体の全記録容量と画像情報を予め定められた保管期間に要する保管記録容量との差である余裕記憶容量に対する記録時間に基づいて代替記録の可否を判定する。
【００１５】
各映像監視記録装置１〜４の細部は、被写体の光学情報を取得するレンズ１０１〜４０１と、レンズ１０１〜４０１で取得した光学情報を電気信号に変換して撮像情報とすると共に、撮像情報を映像化処理した画像情報信号を出力する撮像素子１０２〜４０２と、撮像素子１０２〜４０２からの画像情報信号の画像データやマイク１０３〜４０３からの集音された音声信号の音声データを圧縮するデータ圧縮装置１０４〜４０４と、日時情報を計測する時計１０５〜４０５と、装置の各種設定や動作処理のプログラムを記憶したメモリ１０７〜４０７と、データ圧縮装置１０４〜４０４、時計１０５〜４０５、メモリ１０７〜４０７に接続されると共に、メモリ１０７〜４０７に記憶されたプログラムに従って装置の各部を制御する制御装置１０６〜４０６（上述した代替記録監視部１０６Ａ〜４０６Ａを含む）と、制御装置１０６〜４０６からの指令によりデータ圧縮装置１０４〜４０４が圧縮した画像データや音声データを時計１０５〜４０５からの時間情報に同期させて記録データとして記録する記録媒体としてのハードディスク（ＨＤＤ）１０９〜４０９と、制御装置１０６〜４０６からの指令によりネットワーク６との接続を行うネットワーク回路１０８〜４０８と、を備えて構成される。
【００１６】
上述した各映像監視記録装置１〜４において、レンズ１０１〜４０１及び撮像素子１０２〜４０２は、合わせて被写体を撮像する撮像装置（カメラ）を成す。また、データ圧縮装置１０４〜４０４、時計１０５〜４０５、メモリ１０７〜４０７、制御装置１０６〜４０６、及びハードディスク（ＨＤＤ）１０９〜４０９は、合わせて画像情報や音声情報を含む記録データを記録媒体に記録する記録装置を成す。因みに、実施例１では、記録データを記録する記録媒体をハードディスク（ＨＤＤ）１０９〜４０９とするが、これ以外にも画像情報の記録用としてＳＤカードやＵＳＢメモリ等を用いることもできる。また、監視端末装置７は、ネットワーク６及びネットワーク回路１０８〜４０８を介して制御装置１０６〜４０６へ所定の信号を送信することにより、ハードディスク（ＨＤＤ）１０９〜４０９に記録された記録データのうちの所望の画像情報を取得し、付設される表示部７Ｂの表示画面上に表示させることができる。
【００１７】
更に、ハードディスク（ＨＤＤ）１０９〜４０９に記録される記録データの保管期間は、予めシステム運用開始時に建物の管理者によって決定されるもので、具体的には監視端末装置７によって決定された記録データの保管期間がハードディスク（ＨＤＤ）１０９〜４０９の記憶容量に保たれるように、記録データの画素数、画質、記録コマ数や圧縮度等を予め設定するものである。ここで、監視端末装置７を操作する建物の管理者は、保管期間（例えば１４日間）に必要な記録データのデータ記録領域に対し、通常ハードディスク（ＨＤＤ）１０９〜４０９の記憶容量に余裕を持たせた設定を行うため、ハードディスク（ＨＤＤ）１０９〜４０９の記憶容量内には必ず空き領域が生じるように、記録データ保管期間情報用の記録データ保存期間領域（例えば１４日００時００分００秒）をメモリ１０７〜４０７に記憶させておく。また、ハードディスク（ＨＤＤ）１０９〜４０９の空き領域は、ハードディスク（ＨＤＤ）１０９〜４０９の何れかが故障した場合に故障したハードディスク（ＨＤＤ）の代わりに記録データの記録を行う代替記録可能領域（例えば０．５日）が存在するとき、この空き領域の有無を制御装置１０６〜４０６の代替記録監視機能によりメモリ１０７〜４０７に記憶されている記録データ保存期間領域と、時計１０５〜４０５により取得される記録データに付加される日時情報と、を参照して行う。
【００１８】
図２は、映像監視記録装置１の記録装置に備えられる記憶媒体であるハードディスク（ＨＤＤ）１０９に対する記録データの記録を説明するために示したハードディスク（ＨＤＤ）１０９に係るデータ記憶領域の模式図である。図２を参照すれば、ハードディスク（ＨＤＤ）１０９は、データ記憶領域として、記録データを保管期間保存するのに必要な記憶領域である記録データ保存期間領域（例えば１４日分の記憶領域）Ａ１と、空き領域である代替記録可能領域（例えば０．５日分の記憶領域）Ａ２と、を有する。ハードディスク（ＨＤＤ）１０９のデータ記憶領域には、記録方向に従って最新記録データが格納されるポイントＰ１と、最古の最新記録データが格納されるポイントＰ２とが存在し、記録データ保存期間領域Ａ１にはポイントＰ２の０日００時００分００秒からポイントＰ１の１３日２３時５９分５９秒までの１４日分の記録データが記憶されるが、時間経過に伴ってポイントＰ１、Ｐ２は図２中の記録方向である右側へ移動する。但し、記録データは上書保存されるため、代替記録可能領域Ａ２の記憶容量には変化がない。
【００１９】
因みに、図２で説明した代替記録により記録データを記録することは、データ圧縮装置１０４、２０４からの記録データを保存することになり、ポイントＰ１の移動がポイントＰ２の移動の２倍となり、代替記録可能領域Ａ２が消費されることになる。そこで、制御装置１０６の代替記録監視部１０６Ａは、制御装置２０６から代替記録の依頼（指令）を受けると、最新記録データが格納されるポイントＰ１の時間を２倍にして計算することになり、代替記録の記録時間が代替記録可能領域Ａ２の記憶時間である０．５日（１１時間５９分５９秒）を計算すると、ハードディスク（ＨＤＤ）１０９の空き領域が無くなったと判断することができる。そこで、制御装置１０６、２０６の代替記録監視部１０６Ａ、２０６Ａは、残容量監視機能によりハードディスク（ＨＤＤ）１０９、２０９のデータ記録領域の全記録容量と記録データを予め定められた保管期間に要する記録データ保存期間領域Ａ１の保管記録容量との差である空き領域（代替記録可能領域Ａ２）の余裕記憶容量に対する記録時間に基づいて代替記録の可否を判定する。また、監視端末装置７における代替記録指令部７Ａは、上述したように、ここで説明した余裕記憶容量の大きい順に代替記録するための選択指令を行う。
【００２０】
図３は、映像監視記録装置１の記録装置に備えられる制御装置１０６の動作処理を自身の記録媒体であるハードディスク（ＨＤＤ）１０９の支障時（故障や記録容量不足）における他の映像監視記録装置２の記録装置に備えられる制御装置２０６の動作処理への引渡しを含めて示したフローチャートである。但し、ここではハードディスク（ＨＤＤ）１０９の支障発生時に制御装置１０６から制御装置２０６へ引き渡される動作処理、並びに制御装置２０６から依頼された代替記録処理についてのみ説明するが、その他の映像監視記録装置２〜４の記録装置に備えられる制御装置２０６〜４０６の動作処理についても、上述した対応関係で同様に行われるものであるため、それらについての説明は省略する。制御装置１０６の動作処理では、まず記録データ（画像情報、音声情報を含む）をデータ圧縮装置１０４から受取ると共に、時計１０５から日時情報を取得する日時情報取得（ステップＳ２１）の処理を行った後、この日時情報，データ圧縮装置１０４を識別して特定するための識別コードを記録データへ付加（ステップＳ２２）する処理を行う。
【００２１】
次に、制御装置１０６は、ハードディスク（ＨＤＤ）１０９が故障しているか否かの判定（ステップＳ２３）を行う。この判定の結果、故障していなければ、引き続いて記録データの生成元が自身の装置のデータ圧縮装置１０４で生成した記録データであるか否かの判定（ステップＳ２４）を付加された識別コードに基づいて行い、データ圧縮装置１０４で生成した記録データであればハードディスク（ＨＤＤ）１０９の記録データ保存期間領域Ａ１へ記録（ステップＳ２５）する処理を行った後、動作処理を終了する。
【００２２】
また、ハードディスク（ＨＤＤ）１０９が故障しているか否かの判定（ステップＳ２３）の結果、故障していれば、ネットワーク回路１０及びネットワーク６を経由して監視端末装置７へ故障の発生を送信することにより、監視端末装置７へ故障通報（ステップＳ２６）する処理を行うと共に、代替記録監視部１０６Ａにより監視端末装置７の代替記録指令部７Ａに対して代替記録依頼要求（ステップＳ２７）する処理を行う。ここでは、監視端末装置７が通信回線８を経由して監視センタ５にハードディスク（ＨＤＤ）１０９の故障を発報するため、監視センタ５に故障通知されることになり、監視センタ５では略図する表示部の表示画面上に故障発生に関する情報が表示されるため、管理側の管理者が保守点検者へ故障復旧の作業を依頼することになる。
【００２３】
更に、制御装置１０６の代替記録監視部１０６Ａから代替記録依頼要求（ステップＳ２７）を受けた監視端末装置７の代替記録指令部７Ａは、ハードディスク（ＨＤＤ）１０９の代わりに記録データを記録するため、他の映像監視記録装置２〜４のハードディスク（ＨＤＤ）２０９〜４０９を選定した代替記録先指定信号をデータ圧縮装置２０４〜４０４を識別して特定するための識別コードを付加して出力する。そこで、映像監視記録装置１のネットワーク回路１０８を介して監視端末装置７の代替記録指令部７Ａから代替記録先指定信号を受信（ステップＳ２８）した制御装置１０６の代替記録監視部１０６Ａは、代替記録先指定信号から、代替記録先である映像監視記録装置２のデータ圧縮装置２０４の識別コードをメモリ１０７へ格納した後、自身のレンズ１０１及び撮像素子１０２で撮像し、データ圧縮装置１０４で圧縮処理した記録データに対して、日時情報とデータ圧縮装置１０４を識別して特定するための識別コード及びデータ圧縮装置２０４を識別して特定するための識別コードとを付加した上でネットワーク回路１０８及びネットワーク６を経由して映像監視記録装置２のネットワーク回路２０８へ送信する記録データ送信（ステップＳ２９）の処理を経てから動作処理を終了する。因みに、この後に制御装置１０６の代替記録監視部１０６Ａから代替記録の依頼を受けた制御装置２０６の代替記録監視部２０６Ａは、映像監視記録装置２の記録装置に備えられるハードディスク（ＨＤＤ）２０９の代替記録可能領域Ａ２へデータ圧縮装置１０４で圧縮処理した記録データを代替記録させ、このときに記録限度を判定した上で記録保存又は記録停止するが、その細部については以下で詳述する制御装置１０６が自身の異常発生以外で制御装置２０６から代替記録を依頼された場合と同様な処理となる。
【００２４】
ところで、先の自身で生成した記録データであるか否かの判定（ステップＳ２４）の結果、自身で生成した記録データでなければ、引き続いて自身宛の記録データであるか否かの判定（ステップＳ３０）を識別コードに基づいて行う。ここでは、識別コードが依頼元のデータ圧縮装置２０４を示すと共に、依頼先の自身のデータ圧縮装置１０４を示すことを確認して判定が行われる。この判定（ステップＳ３０）の結果、自身宛の記録データでなければデータ破棄（ステップＳ３１）する処理を行ってから動作処理を終了するが、自身宛の記録データであれば制御装置２０６の代替記録監視部２０６Ａから依頼されたデータ圧縮装置２０４が圧縮処理した記録データであると判断し、制御装置１０６の代替記録監視部１０６Ａによりハードディスク（ＨＤＤ）１０９における空き領域を確認して代替記録可能領域Ａ２は一杯か否かの判定（ステップＳ３２）を行う。この判定の結果、代替記録可能領域Ａ２が一杯でなければ、代替記録監視部１０６Ａから出力される例えば代替記録可信号により、ハードディスク（ＨＤＤ）１０９への代替記録実行（ステップＳ３３）の処理を行ってから動作処理を終了するが、代替記録可能領域Ａ２が一杯であれば代替記録可能領域Ａ２が消費されたと判断して代替記録監視部１０６Ａから例えば代替記録を停止するための代替記録不可信号送信（ステップＳ３４）の処理を行い、ハードディスク（ＨＤＤ）１０９への代替記録停止としてから動作処理を終了する。
【００２５】
図４は、実施例１に係る映像監視記録システムにおける図３で説明した動作処理に伴う信号伝送のシーケンス（手順）を示した図である。図４を参照すれば、映像監視記録装置１の制御装置１０６から監視端末装置７へ最初に送信される信号は映像監視記録装置１におけるハードディスク（ＨＤＤ）１０９が故障していた場合を示すＨＤＤ故障発生通知ＳＡ１であり、その後に代替記録監視部１０６Ａから代替記録指令部７Ａに対して代替記録依頼ＳＡ２が送信される。これにより、監視端末装置７は監視センタ５に対してＨＤＤ故障発生通知ＳＡ３を送信するため、監視センタ５では故障対応処理ＳＡ４が行われることになる。また、代替記録依頼ＳＡ２を受信した監視端末装置７の代替記録指令部７Ａでは、代替記録先選定ＳＡ５が行われ、これにより映像監視記録装置１における制御装置１０６の代替記録監視部１０６Ａに対して代替記録先指令ＳＡ６が送信される。そこで、代替記録先指令ＳＡ６を受信した映像監視記録装置１における制御装置１０６の代替記録監視部１０６Ａは、映像監視記録装置２に対して記録データ送信ＳＡ７を送信する。このようなシーケンス（手順）によって、映像監視記録装置１から映像監視記録装置２に依頼して記録データの代替記録が行われることになる。尚、監視センタ５での故障対応処理ＳＡ４による保守点検者への復旧作業指示に関して、仮に映像監視記録装置２のハードディスク（ＨＤＤ）２０９の代替記録可能領域Ａ２が記録容量不足となって代替記録が未完了になってしまった場合には、監視端末装置７の代替記録指令部７Ａが他の映像監視記録装置３、４を対象として代替記録先選定ＳＡ５を行って代替記録先指令ＳＡ６の処理を行うことにより、新たに代替記録を行うハードディスク（ＨＤＤ）３０９、４０９を選定すれば良い。
【００２６】
図５は、実施例１に係る映像監視記録システムに含まれる監視端末装置７における代替記録指令部７Ａの動作処理を示したフローチャートである。監視端末装置７の代替記録指令部７Ａの動作処理では、最初に映像監視記録装置１における制御装置１０６の代替記録監視部１０６Ａから代替記録依頼ＳＡ２の旨を示す信号を受信する代替記録依頼信号受信（ステップＳＢ１）の処理を行った後、システム運用開始時に予め保存される映像監視記録装置２〜４におけるハードディスク（ＨＤＤ）２０９〜４０９の代替記録可能領域Ａ２の記録容量を読み出すことにより、記録設定情報読み出し（ステップＳＢ２）の処理を行う。この後、ハードディスク（ＨＤＤ）２０９〜４０９のうちの記録容量が一番大きいもの（記録容量が同一の場合には予め決められた順序に従うものとする）を代替記録用として選出することにより、代替記録依頼先選出（ステップＳＢ３）の処理を行う。更に、実施例１では例えば代替記録可能領域Ａ２の記録容量が一番大きいハードディスク（ＨＤＤ）２０９を持つ映像監視記録装置２が代替記録の依頼先であることを示すデータ圧縮装置２０４を識別するための識別コードを自身の依頼元のデータ圧縮装置１０４を識別するための識別コードと共に、代替記録先指定信号に付して代替記録先指令ＳＡ６として映像監視記録装置２へ送信する旨を示す代替記録先指定信号送信（ステップＳＢ４）の処理を行ってから動作処理を終了する。
【００２７】
上述した実施例１に係る映像監視記録システムによれば、映像監視記録装置１の記録装置に備えられるハードディスク（ＨＤＤ）１０９に異常が発生すると、監視端末装置７が監視センタ５へ通報した後、制御装置１０６の代替記録監視部１０６Ａが監視端末装置７の代替記録指令部７Ａに対して制御装置２０６の代替記録監視部２０６Ａにより代替記録を行わせる依頼をデータ圧縮装置１０４の識別コードを付して行い、監視端末装置７の代替記録指令部７Ａにより代替記録の指令を受けた制御装置２０６の代替記録監視部２０６Ａが記録装置に備えられるハードディスク（ＨＤＤ）２０９の代替記録可能領域Ａ２へデータ圧縮装置１０４で圧縮処理した記録データを代替記録させるとき、残容量監視機能により記録限度を示す記録容量を監視して記録容量不足の有無を判定した上で記録保存又は記録停止し、また制御装置１０６の代替記録監視部１０６Ａが異常発生以外で映像監視記録装置２の記録装置に備えられる制御装置２０６の代替記録監視部２０６Ａからデータ圧縮装置２０４の識別コードを付して代替記録を依頼されたときにも、残容量監視機能によりハードディスク（ＨＤＤ）１０９の代替記録可能領域Ａ２へデータ圧縮装置２０４で圧縮処理した記録データを保存するときに記録限度を示す記録容量を監視して記録容量不足の有無を判定した上で記録保存又は記録停止するため、データ圧縮装置１０４、２０４で圧縮処理されたハードディスク（ＨＤＤ）１０９、２０９内の保管期間内の記録データが代替記録により上書き消去されるのを防止することができる。また、ここで仮にハードディスク（ＨＤＤ）２０９の代替記録可能領域Ａ２の記録容量が不足すると、監視端末装置７が次の代替記録を行う映像監視記録装置３又は映像監視記録装置４の記録装置に備えられるハードディスク（ＨＤＤ）３０９又はハードディスク（ＨＤＤ）４０９を選定するため、長時間に及ぶ代替記録が可能となり、保守点検者が遠隔地にいる場合でも、記録データを保存することが可能となる。
【００２８】
要するに、実施例１に係る映像監視記録システムでは、各映像監視記録装置１〜４にネットワーク６を介して接続された監視端末装置７の代替記録指令部７Ａが各映像監視記録装置１〜４の記録装置に備えられる記録媒体であるハードディスク（ＨＤＤ）１０９〜４０９の記録容量を監視して記録容量不足を検出した場合にその記録媒体以外の予め定められた映像監視記録装置１〜４の記録装置に備えられるハードディスク（ＨＤＤ）１０９〜４０９の何れかを対象として画像情報を含む記録データを代替記録するための選択指令を行い、各映像監視記録装置１〜４に備えられる制御装置１０６〜４０６の代替記録監視部１０６Ａ〜４０６Ａが残容量監視機能により代替記録指令部７Ａで代替記録を指令されたハードディスク（ＨＤＤ）１０９〜４０９の何れかへの代替記録による記録限界を示す残容量を監視して代替記録の可否を判定し、判定結果が可であるときには記録データの代替記録を行い、否であるときには監視端末装置７へ代替記録不可を示す信号を出力するため、データ圧縮装置１０４〜４０４で圧縮処理されたハードディスク（ＨＤＤ）１０９〜４０９内の保管期間内の記録データが代替記録により上書き消去されるのを防止することができる。結果として、各映像監視記録装置１〜４の何れかの記録装置に支障が発生しても保管期間内で保管すべき記録データを確実に保存できると共に、上書き記録による記録データ消去を適確に防止できる実用的な記録機能を持たせることができる。
【００２９】
上述した実施例１に係る映像監視記録システムでは、４台の映像監視記録装置１〜４をネットワーク６で接続した構成を説明したが、映像監視記録装置は３台以下や５台以上であっても良い。また、各映像監視記録装置１〜４では１つのレンズ１０１〜４０１及び１つの撮像素子１０２〜４０２で構成される１台の撮像装置の構成を説明したが、撮像装置は２台以上がそれぞれデータ圧縮装置１０４〜４０４に接続される構成であっても良い。即ち、本発明の映像監視記録システムは、図１に開示した実施例１の構成のものに限定されない。
【符号の説明】
【００３０】
１〜４  映像監視記録装置
５  監視センタ
６  ネットワーク
７  監視端末装置
７Ａ  代替記録指令部
７Ｂ  表示部
８  通信回線
１０１、２０１  レンズ
１０２、２０２  撮像素子
１０３、２０３  マイク
１０４、２０４  データ圧縮装置
１０５、２０５  時計
１０６、２０６  制御装置
１０６Ａ、２０６Ａ  代替記録監視部
１０７、２０７  メモリ
１０８、２０８  ネットワーク回路
１０９、２０９  ハードディスク（ＨＤＤ）
【図１】
2014045270.tif 000003
【図２】
2014045270.tif 000004
【図３】
2014045270.tif 000005
【図４】
2014045270.tif 000006
【図５】
2014045270.tif 000007